(57)【要約】      （修正有）【課題】商品の着用のイメージと実際に着用したときの感覚とのずれを小さくする試着装置、サーバ装置および試着システムを提供する。【解決手段】試着装置３０は、ユーザが着用することが可能な商品に関する商品情報を取得する試着設定部と、試着設定部が取得した商品情報に基づいて、ユーザに対して商品を着用した場合の感覚を付与する試着体感部３５とを備える。【効果】ユーザは、試着装置３０において商品を仮想的に試着することができるため、商品の着用のイメージと実際に着用したときの感覚とのずれが小さくなる。【選択図】図３
2019139403.tif 000002
【特許請求の範囲】
【請求項１】
ユーザが着用することが可能な商品に関する商品情報を取得する取得部と、
前記取得部が取得した前記商品情報に基づいて、前記ユーザに対して前記商品を着用した場合の感覚を付与する感覚付与部と、
を備えることを特徴とする試着装置。
【請求項２】
前記感覚付与部は、前記ユーザに対して非接触で当該ユーザを押す力を加えることによって前記感覚を付与することを特徴とする請求項１に記載の試着装置。
【請求項３】
前記感覚付与部は、超音波を用いて前記ユーザに前記感覚を付与することを特徴とする請求項２に記載の試着装置。
【請求項４】
前記ユーザの身体の少なくとも一部を囲う囲部を備え、
前記感覚付与部は、前記囲部の内側における前記ユーザの少なくとも身体の一部に対して前記感覚を付与することを特徴とする請求項１に記載の試着装置。
【請求項５】
前記感覚付与部は、前記ユーザの全身に対して前記感覚を付与することを特徴とする請求項４に記載の試着装置。
【請求項６】
前記ユーザの位置を検知する検知部を有し、
前記感覚付与部は、前記検知部が検知した前記ユーザの前記位置の情報に基づいて当該ユーザのサイズを特定することを特徴とする請求項１に記載の試着装置。
【請求項７】
前記感覚付与部は、前記検知部が検知する前記位置の情報に基づいて、前記ユーザの身体の部位ごとに前記感覚を付与することを特徴とする請求項６に記載の試着装置。
【請求項８】
前記ユーザのサイズに関するユーザサイズ情報を特定する特定部を備え、
前記感覚付与部は、前記商品のサイズに関する商品サイズ情報と前記ユーザサイズ情報とに基づいて、前記ユーザに前記感覚を付与することを特徴とする請求項１に記載の試着装置。
【請求項９】
前記商品に触れた際の感覚に関する触感情報に基づいて前記ユーザに前記商品の触感を再現する触感再現部を備えていることを特徴とする請求項１に記載の試着装置。
【請求項１０】
前記感覚付与部が前記感覚を付与する前記商品の評価に関する評価情報を前記ユーザに提示する評価提示部を有していることを特徴とする請求項１に記載の試着装置。
【請求項１１】
ユーザが着用することが可能な商品の選択を受け付ける受付部と、
前記受付部が受け付けた前記商品に関する商品情報を取得する取得部と、
前記ユーザのサイズに関するユーザサイズ情報を特定する特定部と、
前記取得部が取得した前記商品情報と、前記特定部が特定した前記ユーザサイズ情報とに基づいて作成した前記商品の試着に関する試着情報を送信する送信部と、
を備えることを特徴とするサーバ装置。
【請求項１２】
ユーザが着用することが可能な商品の選択を受け付ける受付手段と、
前記受付手段にて受け付けた前記商品に関する商品情報を取得する取得手段と、
前記ユーザに対して当該ユーザの身体の少なくとも一部を押し付ける力を与える押付手段と、
前記取得手段が取得した前記商品情報に基づいて、前記押付手段の前記押し付ける力の設定を行う設定手段と、
を備えることを特徴とする試着システム。
【発明の詳細な説明】
【技術分野】
【０００１】
本発明は、試着装置、サーバ装置および試着システムに関する。
【背景技術】
【０００２】
例えば特許文献１には、インターネットを介して購入者と販売者とが衣服や装身具類等の商取引を行う場合、販売者が用意した商品の写真により購入者が自分の気に入った商品を選択した後、選択した商品についての各種データなどの情報をデジタルデータで販売者の仮想店舗から購入者の情報端末に送信し、購入者の情報端末上で商品の画像データと購入者自らの顔の画像データとを画像合成することによって、購入者は実際にその商品を試着した時と同じ効果を実現することが記載されている。
【先行技術文献】
【特許文献】
【０００３】
【特許文献１】特開２００２−１５００５８号公報
【発明の概要】
【発明が解決しようとする課題】
【０００４】
ところで、例えば通信販売で衣服などの着用する商品を購入しようと場合、ユーザ（購入者）は、商品が実際に手元に届かなければ、その商品の試着を行うことはできない。そのため、ユーザが購入前に抱いていた商品の着用のイメージと、ユーザが商品を実際に着用したときの感覚とにずれが生じることがあった。
本発明は、商品の着用のイメージと実際に着用したときの感覚とのずれを小さくすることを目的とする。
【課題を解決するための手段】
【０００５】
かかる目的のもと、本発明は、ユーザが着用することが可能な商品に関する商品情報を取得する取得部と、前記取得部が取得した前記商品情報に基づいて、前記ユーザに対して前記商品を着用した場合の感覚を付与する感覚付与部と、を備えることを特徴とする試着装置である。
ここで、前記感覚付与部は、前記ユーザに対して非接触で当該ユーザを押す力を加えることによって前記感覚を付与することを特徴とすることができる。
さらに、前記感覚付与部は、超音波を用いて前記ユーザに前記感覚を付与することを特徴とすることができる。
また、前記ユーザの身体の少なくとも一部を囲う囲部を備え、前記感覚付与部は、前記囲部の内側における前記ユーザの少なくとも身体の一部に対して前記感覚を付与することを特徴とすることができる。
さらに、前記感覚付与部は、前記ユーザの全身に対して前記感覚を付与することを特徴とすることができる。
また、前記ユーザの位置を検知する検知部を有し、前記感覚付与部は、前記検知部が検知した前記ユーザの前記位置の情報に基づいて当該ユーザのサイズを特定することを特徴とすることができる。
さらに、前記感覚付与部は、前記検知部が検知する前記位置の情報に基づいて、前記ユーザの身体の部位ごとに前記感覚を付与することを特徴とすることができる。
また、前記ユーザのサイズに関するユーザサイズ情報を特定する特定部を備え、前記感覚付与部は、前記商品のサイズに関する商品サイズ情報と前記ユーザサイズ情報とに基づいて、前記ユーザに前記感覚を付与することを特徴とすることができる。
また、前記商品に触れた際の感覚に関する触感情報に基づいて前記ユーザに前記商品の触感を再現する触感再現部を備えていることを特徴とすることができる。
また、かかる目的のもと、本発明は、前記感覚付与部が前記感覚を付与する前記商品の評価に関する評価情報を前記ユーザに提示する評価提示部を有していることを特徴とすることができる。
また、かかる目的のもと、本発明は、ユーザが着用することが可能な商品の選択を受け付ける受付部と、前記受付部が受け付けた前記商品に関する商品情報を取得する取得部と、前記ユーザのサイズに関するユーザサイズ情報を特定する特定部と、前記取得部が取得した前記商品情報と、前記特定部が特定した前記ユーザサイズ情報とに基づいて作成した前記商品の試着に関する試着情報を送信する送信部と、を備えることを特徴とするサーバ装置である。
また、かかる目的のもと、本発明は、ユーザが着用することが可能な商品の選択を受け付ける受付手段と、前記受付手段にて受け付けた前記商品に関する商品情報を取得する取得手段と、前記ユーザに対して当該ユーザの身体の少なくとも一部を押し付ける力を与える押付手段と、前記取得手段が取得した前記商品情報に基づいて、前記押付手段の前記押し付ける力の設定を行う設定手段と、を備えることを特徴とする試着システムである。
【発明の効果】
【０００６】
本発明によれば、商品の着用のイメージと実際に着用したときの感覚とのずれを小さくすることができる。
【図面の簡単な説明】
【０００７】
【図１】本実施形態の試着システムの一例の全体図である。
【図２】本実施形態のサーバ装置の構成を示す一例のブロック図である。
【図３】本実施形態の試着装置の一例の全体図である。
【図４】本実施形態の試着装置の内部を示す一例の図である。
【図５】制御部が実現する試着の機能の一例のブロック図である。
【図６】ユーザサイズ情報の設定の際にタッチパネルに表示されるサイズ設定画面の一例である。
【図７】ユーザが試着を行う際にタッチパネルに表示される試着画面の一例である。
【図８】商品のパーツ毎にサイズを指定する際にタッチパネルに表示されるオーダー画面の一例である。
【発明を実施するための形態】
【０００８】
以下、添付図面を参照して、本発明を実施するための形態について説明する。
図１は、本実施形態の試着システム１の一例の全体図である。
【０００９】
［試着システム１］
図１に示すように、本実施形態の試着システム１は、複数の機器と通信接続するサーバ装置１０と、ユーザ（購入者）が操作可能な端末装置２０と、ユーザの仮想的な試着を実現する試着装置３０と、を備えている。サーバ装置１０、端末装置２０および試着装置３０は、ネットワークを介して相互に情報通信が可能になっている。
なお、本実施形態では、端末装置２０および試着装置３０は、ユーザの近く（例えば、ユーザの自宅）に存在している場合を一例として説明する。
【００１０】
本実施形態の試着システム１は、例えばインターネットを利用して商品の売買を行う所謂ネット通販に適用するシステムの一例である。特に、本実施形態の試着システム１は、ユーザが着用する商品の取引に用いることができる。
なお、ユーザが着用する商品には、衣類や装飾品（装身具、アクセサリ）が含まれる。衣類としては、セーターやワンピースなどの洋服、着物などの和服、水着などのスポーツウェア、下着、帽子、手袋、靴下、靴などを例示できる。また、装飾品としては、イヤリング、ネックレス、バッグ、指輪、かつら、サングラス、眼鏡などを例示できる。
【００１１】
まず、本実施形態の試着システム１の概略を説明する。
例えば、ユーザは、端末装置２０を用いて希望の商品の検索を行い、購入候補となる商品を選択する。そして、サーバ装置１０は、購入候補として選択された商品の商品サイズ情報を含む商品情報（後に詳述）を試着装置３０に送信する。試着装置３０は、取得した商品情報に基づいて、ユーザに対して購入候補となる商品を着用した場合の感覚を与えることで、ユーザに購入対象の商品を仮想的に試着させる。
なお、ユーザは、仮想的な試着の結果、購入候補の商品の購入を希望する場合、サーバ装置１０に対して商品の発注を行う。そして、サーバ装置１０は、受注した商品をユーザに配送する。
【００１２】
このように、本実施形態の試着システム１において、ユーザは、購入候補の商品が手元にない状態であっても、身につける商品が身体に合うかどうかを確かめることができる。以下、本実施形態の試着システム１について詳細に説明する。
【００１３】
図２は、本実施形態のサーバ装置１０の構成を示す一例のブロック図である。
〔サーバ装置１０〕
図２に示すように、サーバ装置１０は、販売対象の商品に関する商品情報を保持する商品情報保持部１１と、ユーザに関するユーザ情報を保持するユーザ情報保持部１２と、商品の受注を行う商品受注部１３と、を有している。
【００１４】
（商品情報保持部１１）
商品情報保持部１１は、端末装置２０や試着装置３０からの要求に応じて、商品情報を端末装置２０や試着装置３０に送信する。そして、商品情報には、商品特定情報、商品画像情報、商品特性情報、商品サイズ情報、および商品購買情報が含まれる。
【００１５】
商品特定情報には、商品の名称、商品のメーカ、商品の型番、バーコードなど、商品を一義的に特定することを可能とする識別情報が含まれる。
商品画像情報には、商品を撮影した撮影画像、商品を描画するＣＧ（コンピュータグラフィック）画像が含まれる。さらに、撮影画像やＣＧ画像には、商品を３６０°の全周方向から確認できる３次元画像、商品の正面、背面、側面等でそれぞれ確認できる２次元画像を用いることができる。
【００１６】
商品特性情報には、商品の色や模様などの外観情報、革、化学繊維、毛などの商品の素材情報、ユーザの手や頬や足などユーザが商品に触れた場合に得られる触感に関する触感情報、商品に施された加工に関する加工情報、ユーザが商品を着用した状態で身体を動かしたときに得られる動作感情報が含まれる。さらに、商品特性情報には、商品の厚さや透け感に関する情報、商品の重量感に関する情報、商品の伸縮性に関する情報、商品に触れたときの温冷感に関する情報が含まれる。また、商品特性情報には、商品の着丈感や、肩パッドが浮きやすいか否か、座った際に下着等のラインが出やすいなどの商品のデザインに関するデザイン特性情報が含まれる。さらにまた、商品特性情報には、例えば毛玉のできやすさなど商品の経時変化に関する情報も含まれる。
【００１７】
商品サイズ情報には、予め定められた規格に基づいて特定される規格サイズ情報、商品のパーツごとに特定されたパーツサイズ情報が含まれる。規格サイズ情報は、例えば、Ｓ、Ｍ、Ｌ、ＬＬなどで分類される規格、Ａ体、Ｂ体、Ｙ体などで分類される規格、９号、１１号、１３号などで分類される規格がある。また、パーツサイズ情報は、例えば上着や下着であれば、総丈、衿周り、肩幅、胸囲（身幅）、腹囲、腰囲、袖丈、もも回り、股上、股下などの商品を構成するパーツごとのサイズが含まれる。
【００１８】
商品購買情報には、商品の在庫に関する在庫情報、商品の価格に関する価格情報などが含まれる。
なお、商品情報保持部１１は、上記の情報の全てを保持している必要はない。また、商品情報保持部１１は、上記の情報の全てを端末装置２０や試着装置３０に送信する必要はなく、要求に基づいて必要な情報を送信する。
【００１９】
（ユーザ情報保持部１２）
ユーザ情報保持部１２は、ユーザが登録しているユーザ登録情報と、ユーザの身体のサイズに関するユーザサイズ情報と、ユーザの商品の購入に関するユーザ購入情報と、を含んでいる。
ユーザ登録情報には、ユーザの氏名、ユーザの性別、ユーザの年齢、ユーザアカウント、ユーザの住所、商品の送付先などの情報が含まれる。
【００２０】
ユーザサイズ情報には、身長、座高、首囲、肩幅、胸囲、腹囲（胴囲）、腰囲、腕の長さ（裄丈）、上腕まわり、太もも回り、股下、脚の長さ、頭囲、手幅、足幅などユーザの身体を構成する各パーツのサイズが含まれる。
なお、本実施形態において、ユーザ情報保持部１２は、ユーザサイズ情報を必ず保持している必要はない。
【００２１】
ユーザ購入情報には、ユーザが過去に購入した商品に関する購入商品情報、ユーザが過去に閲覧した商品に関する閲覧情報、ユーザが購入候補として選択した商品に関する候補商品情報が含まれる。
【００２２】
（商品受注部１３）
商品受注部１３は、端末装置２０または試着装置３０を介してユーザから商品の受注を受け付ける。そして、商品受注部１３は、ユーザ情報保持部１２から取得したユーザ登録情報に基づいて、商品の発送の処理を行う。
【００２３】
〔端末装置２０〕
図１に示すように、端末装置２０（受付部の一例、受付手段の一例）には、スマートフォンなどの携帯電話、タブレット型端末などの携帯端末機器や、デスクトップＰＣやテレビなどの固定端末機器、音声操作に基づいて予め定められた動作を行うスマートスピーカー（ＡＩスピーカを含む）などを用いることができる。
例えばユーザによって特定の商品が検索された場合、端末装置２０は、サーバ装置１０の商品情報保持部１１から商品情報を取得し、表示画面に商品情報に基づく各種の情報を表示可能になっている。
【００２４】
さらに、端末装置２０は、ユーザが商品の購入を希望する場合、サーバ装置１０に対して商品の発注を行う。
また、端末装置２０は、ユーザから商品の購入候補の選択を受け付けた場合には、サーバ装置１０に対して購入候補の商品を指定する情報を送信する。
【００２５】
〔試着装置３０〕
図３は、本実施形態の試着装置３０の一例の全体図である。
図４は、本実施形態の試着装置３０の内部を示す一例の図である。
図３に示すように、試着装置３０は、ユーザの全身を囲う箱状の筐体部３１と、画像を表示するとともに情報の入力を受け付けるタッチパネル３２と、ユーザを撮影する撮像部３３と、赤外線を送受信する赤外線センサ部３４と、を有している。さらに、試着装置３０は、ユーザに試着を体感させる試着体感部３５と、商品の触感をユーザに体感させる触感再現部３６と、を有している。また、試着装置３０は、各構成部を統括的に制御する制御部３７を有している。
【００２６】
（筐体部３１）
図３に示すように、箱状の筐体部３１（囲部の一例）は、鉛直方向上側に設けられる天面部３１Ｔ、下側に設けられる底面部３１Ｂ、左右方向に設けられる第１面部３１Ｒ、左右方向に設けられる第２面部３１Ｌ、前後方向に設けられる前面部３１Ｆ、および、前後方向であって開閉する開閉部３１Ｄを備えて構成されている。
また、本実施形態の筐体部３１では、前面部３１Ｆに対してユーザが正面を向くように各種構成部が配置されている。そして、ユーザが筐体部３１に入った状態で、ユーザの右側には、第１面部３１Ｒが位置し、ユーザの左側には、第２面部３１Ｌが位置し、ユーザの背後には、開閉部３１Ｄが位置する。
【００２７】
開閉部３１Ｄは、開いた状態でユーザが筐体部３１内部に入ることを可能にする。そして、開閉部３１Ｄが閉められた状態で、ユーザは、試着を実行することができる。
また、底面部３１Ｂには、足形のマーク３１１が設けられている。そして、マーク３１１は、底面部３１Ｂにおいてユーザが立つ位置を示す。さらに、本実施形態の底面部３１Ｂは、ユーザの体重を計測する荷重計が設けられている。荷重計によって得られた体重情報は、制御部３７に送られる。
【００２８】
（タッチパネル部３２）
本実施形態のタッチパネル３２（受付部の一例、受付手段の一例）は、前面部３１Ｆであって、ユーザの顔の高さに対応する高さに設けられている。そして、タッチパネル３２は、ユーザに対して所定の情報を画像によって表示し、かつ、ユーザの操作に応じてユーザからの入力を受け付ける機能を有している。
【００２９】
試着装置３０のタッチパネル３２では、端末装置２０においてユーザが実行可能なことを同様に行うことができる。例えば、ユーザは、タッチパネル３２を用いて、商品の検索や商品の選択などを行うことができるようになっている。また、タッチパネル３２では、サーバ装置１０の商品情報保持部１１から取得した商品情報に基づいて、各種の情報を表示可能になっている。
また、本実施形態のタッチパネル３２は、試着装置３０としての機能を発揮するための各種の画像を表示するとともに、試着に関するユーザの指示を受け付ける。
【００３０】
（撮像部３３）
撮像部３３（検知部の一例、特定部の一例）は、本実施形態では、筐体部３１の上側に設けられている。本実施形態の撮像部３３は、筐体部３１の内部に存在するユーザの全身を撮影可能な複数のカメラを含んでいる。本実施形態においては、複数のカメラは、ユーザの正面、ユーザの前側かつ右側、前側かつ左側、後側かつ右側、後側かつ左側にそれぞれ配置されている。また、筐体部３１内には、撮像部３３が撮影した撮影画像の位置やサイズの基準となる基準点や基準スケール（不図示）が設けられている。
そして、撮像部３３は、カメラにて撮影した撮影画像を解析することで、筐体部３１内部におけるユーザの位置を検知する。さらに、撮像部３３は、ユーザの位置情報に基づいて、ユーザの身体のサイズを特定することができる。また、撮像部３３は、ユーザの位置情報に時間情報を加味することで、ユーザの動きを把握することができる。
【００３１】
（赤外線センサ部３４）
図３および図４に示すように、赤外線センサ部３４（検知部の一例、特定部の一例）は、筐体部３１の天面部３１Ｔ、第１面部３１Ｒ、第２面部３１Ｌおよび開閉部３１Ｄにそれぞれ設けられている。赤外線センサ部３４は、対象物に向けて赤外線を照射する発光素子と、対象物を反射した照射光を受信する受光素子とを有している。そして、各々の赤外線センサ部３４は、対向する対象物までの距離を検出可能になっている。また、各々の発光素子および受光素子の筐体部３１内における位置は、それぞれ特定されている。
そして、赤外線センサ部３４は、筐体部３１内部におけるユーザの位置を検知する。さらに、赤外線センサ部３４は、ユーザの位置情報に基づいて、ユーザの身体のサイズを特定することができる。また、赤外線センサ部３４は、ユーザの位置情報に時間情報を加味することで、ユーザの動きを把握することができる。
【００３２】
なお、ユーザの位置情報に基づいたユーザの身体のサイズの特定やユーザの動作の把握は、撮像部３３の撮影画像および赤外線センサ部３４のセンシング情報のいずれか一方だけで行っても良い。または、ユーザの位置情報に基づいたユーザの身体のサイズの特定やユーザの動作の把握は、撮像部３３の撮影画像および赤外線センサ部３４のセンシング情報の両方に基づいて行うようにしても良い。
【００３３】
（試着体感部３５）
図４に示すように、試着体感部３５（感覚付与部の一例、押付手段の一例）は、超音波を出力する複数の振動子３５１を有している。複数の振動子３５１は、筐体部３１における天面部３１Ｔ、第１面部３１Ｒ、第２面部３１Ｌおよび開閉部３１Ｄにそれぞれ設けられている。さらに、複数の振動子３５１は、筐体部３１において等間隔に並べられている。
そして、試着体感部３５は、超音波の音響放射圧を利用することで、空気を介してユーザに感覚を付与する。なお、感覚とは、例えば、触覚（触感）、圧覚、冷覚（冷感）、温覚（温感）などユーザが身体表面を通して認識することのできるものである。
【００３４】
本実施形態において、複数の振動子３５１は、超音波の位相を制御することによって、筐体部３１内の空間における任意の位置に超音波の焦点を作り出すことができる。超音波の焦点では、空気中を伝播する超音波がユーザの身体に遮られた場合、音響放射圧が発生する。そして、この音響放射圧は、ユーザが認識可能であって身体表面を押す力を生じさせる。なお、本実施形態の試着体感部３５では、２０ｋＨｚ以上の周波数の音波を用いている。また、本実施形態の試着体感部３５では、１４０ｄＢ以上の音圧レベルに設定している。
【００３５】
また、試着体感部３５は、撮像部３３の撮影画像や赤外線センサ部３４のセンシング情報に基づくユーザの位置情報を取得する。そして、試着体感部３５は、ユーザの位置に関する情報に基づいて、複数の振動子３５１をそれぞれ制御する。
そして、試着体感部３５は、ユーザの位置情報に基づいて、ユーザの身体の部位の位置を把握することができる。従って、試着体感部３５は、ユーザの身体の各部位に向けて超音波を出力することができる。
さらに、試着体感部３５は、ユーザの位置情報に基づいて、ユーザの動作を把握することができる。従って、試着体感部３５は、ユーザの動きに追従して超音波を出力することができる。
【００３６】
試着体感部３５は、筐体部３１の空間に複数の超音波の焦点を形成する。本実施形態おいて、試着体感部３５は、筐体部３１内のユーザの全身の表面における任意の位置に超音波の焦点を形成することができる。そして、試着体感部３５は、ユーザに対して、商品を試着しているかのような感覚を付与する。
【００３７】
そして、本実施形態の試着体感部３５は、商品を試着した場合の商品のサイズをユーザに体感させるようになっている。例えば、試着体感部３５は、ユーザの身体のサイズに対して商品のサイズが小さい場合には、焦点の位置をユーザの身体のより内側に設定したり、音圧レベルを高めたりすることで、ユーザに対して締め付ける感覚を付与する。一方、試着体感部３５は、ユーザの身体のサイズに対して商品のサイズが大きい場合には、焦点の位置をユーザの身体のより外側に設定したり、音圧レベルを低くしたりすることで、ユーザに対して緩い感覚を付与する。
【００３８】
また、試着体感部３５は、ユーザの身体の部位ごとに、商品のサイズ感をユーザが体感できるようにしている。例えば、商品の胸囲のサイズはユーザの身体に合っていても、商品の胴囲のサイズがユーザにとっては小さい場合、試着体感部３５は、ユーザの胸の部分に対する押し付け力を小さくし、ユーザの胴の部分に対する押し付け力を大きくする。
このように、本実施形態の試着体感部３５は、ユーザの身体の部位毎に、それぞれ商品のサイズ感をユーザが確認できるようにしている。
【００３９】
（触感再現部３６）
図３および図４に示すように、触感再現部３６（触感再現部の一例）は、タッチパッド３６１と、タッチパッド３６１に生じた圧力等を検出するセンサ（不図示）と、タッチパッド３６１を変位させるアクチュエータ（不図示）とを備えている。そして、触感再現部３６は、アクチュエータにてタッチパッド３６１を変位させることで、ユーザに、様々な触感を体感させる機能を有する。
【００４０】
例えば、本実施形態の触感再現部３６は、アクチュエータにてタッチパッド３６１の沈み込みを制御することによって、物体の硬さの感覚をユーザに感じさせることが可能である。
また、触感再現部３６は、アクチュエータにてタッチパッド３６１を、ユーザの指の動きと反対方向に変位させて抗力を与えることによって、ユーザに抵抗感や粘性感を知覚させることが可能となる。つまり、触感再現部３６は、タッチパッド３６１の変位速度や変位加速度を変えることで、ユーザに、様々な抵抗感や粘性感を与えることが可能である。
逆に、触感再現部３６は、アクチュエータにてタッチパッド３６１を、ユーザの指の動きと同じ方向に変位させて負の抗力を与えることによって、ユーザに、氷上を滑るような滑らか感や加速感を知覚させることが可能となる。つまり、触感再現部３６は、タッチパッド３６１の変位速度や変位加速度を変えることで、ユーザに、様々な滑らか感や加速感を与えることが可能である。
また、触感再現部３６は、抗力を振動的に変化させることにより、表面粗さの感覚を知覚させることが可能である。
【００４１】
上述したように、触感再現部３６は、アクチュエータにてタッチパッド３６１を変位させることで、様々な触感を体感させることが可能である。つまり、触感再現部３６は、硬い、柔らかいなどの圧覚、ツルツル、ザラザラなど触覚、弾性、もちもち感などの力覚を体感させることが可能である。
【００４２】
そして、本実施形態の触感再現部３６は、商品の触感をタッチパッド３６１上で再現することで、ユーザが商品の触感を体感できるようにしている。
【００４３】
（制御部３７）
制御部３７は、ＣＰＵ（Central Processing Unit）と、ＲＡＭ（Random Access Memory）と、ＲＯＭ（Read Only Memory）と、ＨＤＤ（Hard Disk Drive）のハードウェア構成を有している。そして、制御部３７は、ＣＰＵが、ＲＯＭ等に記憶された各種プログラムをＲＡＭにロードして実行することで、ユーザに対して仮想的な試着を体感させる機能を実現する。
【００４４】
図５は、制御部３７が実現する試着の機能の一例のブロック図である。
図６は、ユーザサイズ情報の設定の際にタッチパネル３２に表示されるサイズ設定画面の一例である。
図５に示すように、制御部３７は、ユーザのサイズに関する情報を取得するユーザサイズ取得部４１と、試着体感部３５の動作を設定する試着設定部４２と、ユーザが商品を試着した画像を表示する試着画像表示部４３と、を有する。さらに、制御部３７は、触感再現部３６の動作を設定する触感設定部４４と、商品を発注する商品発注部４５と、を有する。
【００４５】
（ユーザサイズ取得部４１）
ユーザサイズ取得部４１は、ユーザの身長、首回り、肩幅、腕の長さ、上腕まわり、太もも回り、股下、胸囲、胴囲、腰囲などユーザの身体の部位毎のサイズに関するユーザサイズ情報を取得する。
本実施形態では、ユーザサイズ取得部４１は、サーバ装置１０からユーザサイズ情報を受信するサーバ受信モードと、試着装置３０によってユーザの身体を自動的に測定する自動測定モードと、ユーザの操作によって身体のサイズの入力を受け付ける直接入力モードと、のいずれかのモードによって、ユーザサイズ情報を取得する。
【００４６】
そして、ユーザサイズ取得部４１は、ユーザサイズ情報の設定を行う際に、図６に示すように、ユーザサイズ情報を設定するためのサイズ設定画面５０をタッチパネル３２に表示する。サイズ設定画面５０には、人の身体の概形を表すモデル画像５５と、サーバ受信モードを用いるための登録情報ボタン５１と、自動測定モードを用いるための自動測定ボタン５２と、直接入力モードの際に用いる入力欄５３と、ユーザサイズ情報の入力を確定させる確定ボタン５４と、がそれぞれ表示される。
【００４７】
サーバ受信モードは、ユーザサイズ情報が予め登録されている場合に用いることができるモードである。予め登録されている場合とは、例えば、試着装置３０を以前に使用していたり、本実施形態の試着システム１を用いたネット通販を過去に利用していたりすることで、サーバ装置１０のユーザ情報保持部１２にユーザサイズ情報が既に記憶されている場合である。
サーバ受信モードは、ユーザが登録情報ボタン５１を選択することで実行される。登録情報ボタン５１が押されると、ユーザサイズ取得部４１は、サーバ装置１０のユーザ情報保持部１２からユーザサイズ情報を取得する。そして、サーバ受信モードにおいて、タッチパネル３２には、サイズの入力欄５３に身体の部位毎にサイズ（数値）が表示される。
【００４８】
自動測定モードでは、試着装置３０が機械として自動的にユーザの身体のサイズを測定するモードである。すなわち、自動測定モードでは、現時点でのユーザの身体のサイズを測定することができる。
自動測定モードは、ユーザが自動測定ボタン５２を選択することで実行される。自動測定ボタン５２が押されると、撮像部３３によって撮影したユーザの画像解析や、赤外線センサ部３４のセンシング情報に基づくユーザの身体のサイズの特定が行われる。そして、自動測定モードにおいて、タッチパネル３２には、サイズの入力欄５３に身体の部位毎にサイズが表示される。
【００４９】
なお、自動測定モードでは、撮像部３３または赤外線センサ部３４によって測定したユーザの身長と、底面部３１Ｂによって測定した体重とに基づいて、ユーザの身体のサイズを推定しても良い。つまり、自動測定モードでは、身長および体重から統計的に得られる体型に基づいて、ユーザの身体のサイズを特定しても良い。
【００５０】
直接入力モードは、ユーザがタッチパネル３２に表示される部位毎の入力欄５３に数値を入力するモードである。
なお、ユーザは、例えばサーバ受信モードや自動測定モードによって、入力欄５３に入力された数値を、直接入力モードと同様にユーザ自身の操作によって変更することができる。
【００５１】
そして、タッチパネル３２に表示される確定ボタン５４を押すことで、サイズの入力処理は、終了する。また、確定ボタン５４が押されることによって、タッチパネル３２に入力されたサイズ（数値）は、サーバ装置１０に送信され、ユーザ情報保持部１２にユーザサイズ情報として登録（場合によっては更新）される。
【００５２】
（試着設定部４２）
試着設定部４２（取得部の一例、取得手段の一例）は、商品情報保持部１１から取得した商品サイズ情報とユーザサイズ取得部４１から取得したユーザサイズ情報とに基づいて、試着装置３０の試着体感部３５の動作を設定する試着情報を作成する。試着情報は、試着体感部３５の複数の振動子３５１の音圧レベルや、複数の振動子３５１が形成する超音波の焦点の位置を定める情報である。そして、試着設定部４２は、作成した試着情報を試着体感部３５に送る。
【００５３】
試着設定部４２は、商品サイズ情報として商品のパーツ毎に具体的なサイズが得られる場合には、そのパーツ毎のサイズを用いる。また、試着設定部４２は、商品サイズ情報として規格サイズ（Ｌ、Ｍ、Ｓ等）の情報を得ている場合には、規格サイズから商品のパーツ毎のサイズを特定する。
【００５４】
そして、試着設定部４２は、例えば、ユーザの胸部に向けて超音波を出力する複数の振動子３５１の動作の設定を以下のように行う。
商品サイズ情報としての胸囲のサイズが、ユーザサイズ情報としての胸囲のサイズよりも大きい場合、試着設定部４２は、ユーザの胸部に向けた超音波の焦点の位置をユーザの身体の表面に対してより外側に設定した試着情報を作成する。または、この場合に、試着設定部４２は、超音波の音圧レベルを比較的小さく設定する試着情報を作成する。つまり、試着設定部４２は、振動子３５１によるユーザの胸部の押し付け力が小さくなる内容の試着情報を作成する。
【００５５】
また、試着設定部４２は、例えば、ユーザの腹部に向けて超音波を出力する複数の振動子３５１の動作の設定を以下のように行う。
商品サイズ情報としての胴囲のサイズが、ユーザサイズ情報としての胴囲のサイズよりも小さい場合、試着設定部４２は、ユーザの腹部に向けた超音波の焦点の位置をユーザの身体の表面に対してより内側に設定する試着情報を作成する。または、この場合に、試着設定部４２は、超音波の音圧レベルを比較的大きく設定する試着情報を作成する。つまり、試着設定部４２は、振動子３５１によるユーザの腹部の押し付け力が大きくなる内容の試着情報を作成する。
【００５６】
同様に、試着設定部４２は、ユーザの身体における他の部位に向けて超音波を出力する複数の振動子３５１の設定についても、それぞれ商品サイズ情報とユーザサイズ情報とに基づいて、超音波の焦点の位置および音圧レベルを設定する試着情報を作成する。
【００５７】
（試着画像表示部４３）
試着画像表示部４３は、商品情報保持部１１から取得した商品画像情報と、撮像部３３から取得したユーザの撮影画像とに基づいて、購入候補の商品をユーザが着用した場合のイメージ画像である試着画像７１（図７（Ｂ）参照）を作成する。具体的には、試着画像表示部４３は、ユーザの撮影画像に対して商品の撮影画像を合成して、試着画像を作成する。そして、試着画像表示部４３は、作成した試着画像をタッチパネル３２に表示させる。
【００５８】
（触感設定部４４）
触感設定部４４は、商品情報保持部１１から取得した商品特性情報に基づいて、触感再現部３６の動作を設定する触感情報を作成する。触感情報は、触感再現部３６のアクチュエータの動作を定める情報である。そして、触感設定部４４は、作成した触感情報を触感再現部３６に送る。
【００５９】
例えば、購入候補の商品の素材が革である場合には、触感設定部４４は、圧覚としては硬く、触覚としてはツルツルした触感をユーザが得られるようアクチュエータの動作を設定する触感情報を作成する。
また、購入候補の商品の素材が羊毛である場合には、触感設定部４４は、圧覚としては柔らかく、触覚としてはツルツルした触感をユーザが得られるようアクチュエータの動作を設定する触感情報を作成する。
【００６０】
（商品発注部４５）
商品発注部４５は、ユーザが商品の購入を希望する場合、サーバ装置１０に対してその商品の発注を行う。本実施形態の商品発注部４５は、タッチパネル３２を介してユーザから指示を受け付ける。そして、商品発注部４５は、受け付けた商品を発注する指示をサーバ装置１０に送信する。
このように、本実施形態の試着装置３０は、端末装置２０を用いずに商品の発注を行うことを可能にしている。
【００６１】
図７は、ユーザが試着を行う際にタッチパネル３２に表示される試着画面の一例である。
次に、本実施形態の試着システム１を用いた商品購入の具体的な流れを説明する。
まず、ユーザは、試着装置３０においてユーザサイズ情報を設定する。ユーザサイズ情報の設定は、図６を参照しながら説明したように、サーバ取得モード、自動計測モードおよび直接入力モードのいずれかのモードを用いて行われる。
【００６２】
ユーザサイズ情報の設定の終了後、試着の対象となる商品の設定が行われる。このとき、図７（Ａ）に示すように、タッチパネル３２には、試着の対象となる商品を選択するための商品選択画面６０が表示される。商品選択画面６０には、選択対象の商品が並べられた商品リスト画像６１と、商品のサイズを選択するためのサイズ選択ボタン６２と、商品の色を選択するための色選択ボタン６３と、試着を開始するための試着実行ボタン６４とが表示される。
【００６３】
商品リスト画像６１には、例えばユーザが端末装置２０にて購入候補として選択していた商品が表示される。また、商品リスト画像６１には、購入候補として選択された商品のみならず、例えば試着装置３０のタッチパネル３２にてユーザが検索し選択した商品も含めることが可能である。
そして、商品リスト画像６１は、商品画像情報に基づいて、商品の撮影画像などユーザが視覚的に商品を認識できる状態で表示される。なお、購入候補の商品が複数有る場合には、複数の商品の画像が重ねて表示され、ユーザのスワイプ操作等によって各々を選択可能になる。
なお、商品選択画面６０には、商品情報に基づく各種の情報が表示される。
【００６４】
ユーザは、商品選択画面６０を用いて、試着を希望する商品を選択する。なお、例えば端末装置２０にて候補対象として選択していた商品について、サイズや色に関しての選択が未だ完了していなければ、ユーザは、商品選択画面６０にてサイズ選択ボタン６２や色選択ボタン６３を用いて選択を行う。
【００６５】
そして、ユーザは、試着を開始しようとする際には、試着実行ボタン６４を選択する。試着実行ボタン６４が選択されると、試着体感部３５は、複数の振動子３５１からユーザの身体に向けて超音波を出力し、試着の対象の商品を着用した場合の感覚をユーザに体感させる。
【００６６】
さらに、図７（Ｂ）に示すように、試着体感部３５によって試着が行われる際、試着中画面７０がタッチパネル３２に表示される。試着中画面７０には、商品をユーザが着用した試着画像７１と、商品のサイズを変更するためのサイズ変更ボタン７２と、試着した商品を購入候補に加えるカートボタン７３と、試着している商品を発注するための購入ボタン７４と、試着を終了するためのキャンセルボタン７５とが表示される。
【００６７】
試着画像７１は、例えばユーザの全身の画像として表示される。また、試着画像７１は、ユーザがタッチパネル３２を操作することで、回転したり、背後や側面からの見た角度で表示されたりする。
なお、試着画像７１は、サーバ装置１０に送信され、サーバ装置１０にて記憶される。そして、サーバ装置１０は、端末装置２０に対して試着画像７１を送信することが可能になっている。これによって、例えば、ユーザは、試着画像７１をユーザ以外の人に見せたり、ユーザ以外の人に送信したりすることができる。そして、ユーザは、試着画像７１に基づいてユーザ以外の人から感想を貰うことができるなど、試着画像７１を試着後に活用することが可能になる。
【００６８】
さらに、触感再現部３６では、現在試着を行っている商品の触感をユーザに体感させる。ユーザは、触感再現部３６のタッチパッド３６１を例えば指でなぞることで、現在試着をしている商品の触感を確認できる。
【００６９】
そして、ユーザが現在試着している商品に関して、他のサイズの試着を希望する場合には、サイズ変更ボタン７２を選択する。サイズ変更ボタン７２が選択されると、図７（Ａ）に示す商品選択画面６０が表示されるか、あるいは、他のサイズを選択するための専用画面（不図示）がタッチパネル３２に表示される。この場合には、変更されたサイズの商品について、改めて、試着体感部３５により試着動作が実行される。
【００７０】
そして、ユーザが現在試着している商品の購入を希望する場合、ユーザは、購入ボタン７４を選択する。購入ボタン７４が選択されることによって、現在試着している商品の発注が行われる。
一方で、ユーザが現在試着している商品の購入を希望せずに試着を終了する場合には、キャンセルボタン７５を選択する。キャンセルボタン７５が選択されると、試着装置３０における試着に関する一連の動作は、終了する。
ここで、ユーザが現在試着している商品を購入候補に加えたい場合には、カートボタン７３を選択する。これによって、現在試着している商品の情報がサーバ装置１０に送信され、ユーザ情報保持部１２が保持している候補商品情報の内容は、更新される。
【００７１】
なお、試着装置３０において、例えばユーザが商品の試着を行ったにもかかわらず、サイズが合わないと判断する場合がある。このような場合、サーバ装置１０は、端末装置２０や試着装置３０（タッチパネル３２）を介して、同じ商品であってサイズが異なる商品をユーザに薦めたり、さらには、ユーザが試着を行った商品と類似する類似商品を薦めたりしても良い。
【００７２】
また、上述した試着装置３０のタッチパネル３２に表示される内容、およびタッチパネル３２を用いた操作は、端末装置２０を用いて行っても良い。すなわち、試着装置３０内におけるタッチパネル３２における操作を、スマートフォンなどの端末装置２０で遠隔操作するように構成しても良い。このような場合、試着装置３０には、必ずしもタッチパネル３２が設けられている必要はない。
【００７３】
以上のように、本実施形態の試着装置３０は、ユーザに対して商品を仮想的に試着させることができるため、商品の着用のイメージと実際に着用したときの感覚とのずれが小さくなる。
また、本実施形態の試着システム１では、商品の選択、商品の試着、商品の購入という実際の店舗でユーザが行うような購買行動を試着装置３０において実現することができる。
【００７４】
なお、上述した例においては、ユーザ自身が自発的に検索した商品に基づいて試着を行うようになっているが、この態様に限定されない。
例えば、サーバ装置１０は、ユーザ購入情報や市場の人気商品に関する情報に基づき、スマートスピーカなどの端末装置２０を介してユーザに特定の商品を薦めるようにしても良い。また、サーバ装置１０は、端末装置２０に設けられたカメラ等の撮影手段によって、衣服を着用している状態のユーザの画像情報や、ユーザが着用している商品の画像情報を取得し、取得した画像情報に基づいて、特定の商品をユーザに薦めるようにしても良い。さらに、サーバ装置１０は、気温や季節などの外的な情報に基づいて、特定の商品を薦めるようにしても良い。
そして、ユーザは、端末装置２０を介して薦められた商品について試着装置３０にて試着を行うことができる。
【００７５】
また、試着装置３０において、ユーザがある商品を仮想的に試着しているときに、その商品自体の評価や、ユーザにその商品が似合うか似合わないかの評価を、ユーザに対して提示するようにしても良い。なお、評価の情報は、サーバ装置１０から試着装置３０や端末装置２０に送信されることで、試着装置３０のタッチパネル３２（評価提示部の一例）や端末装置２０の画面にてユーザに提示される。
例えば、評価は、所謂口コミなど他の購入者の感想（人気）に基づいて行うことができる。また、評価は、例えばユーザが複数の商品を選択している場合、それらの複数の商品の色合いや形などのバランスに基づいて行うことができる。さらに、評価は、商品とユーザの年齢とが相応しいか否かに基づいて行うことができる。
このように、評価は、商品のサイズ情報以外の観点に基づいて特定される。そして、ユーザに対し評価結果を提示することで、例えばユーザが商品の購入の決断を躊躇しているときなどに、ユーザの決断を後押しすることができる。
【００７６】
なお、上述した実施形態では、試着装置３０が自宅などに設置されている例を用いて説明したが、この態様に限定されない。
例えば、試着装置３０は、コンビニエンスストアなどに設置されていても良い。この場合、ユーザは、最寄りのコンビニエンスストアに出向くことで、商品の試着を行うことができる。
【００７７】
また、試着装置３０は、衣類の販売を行う店舗に設けられていても良い。この場合、例えば、店舗に在庫が無い商品であっても、来店したユーザは、仮想的な試着を行うことができる。また、店舗では、例えば、多数の商品を陳列するためのスペースや、商品の在庫を置いておくためのスペースを減らすことができる。
【００７８】
また、上述した実施形態では、主に、試着装置３０にて単数の商品について仮想的な試着を行う例を用いて説明をしたが、この例に限定されない。ユーザは、試着装置３０において、複数の商品の試着を同時に行っても良い。例えば、ユーザは、試着装置３０のタッチパネル３２や端末装置２０の画面にて、帽子、サングラス、セーター、スカート、靴などの複数の商品の組み合わせを確認する。この際に、帽子などの特定の商品を他の商品に変更したり、同じ商品であっても色や模様を変更したりすることができる。そして、ユーザは、試着装置３０にて、気に入った複数商品の組合せでの仮想的な試着を行うことができる。
【００７９】
なお、試着装置３０の試着体感部３５は、複数の商品が組み合わされる場合、ユーザの身体の部位毎に、各々の商品のサイズの情報に基づいて試着の感覚を付与する。また、試着装置３０の試着体感部３５は、複数の商品が組み合わされる場合、複数の商品が重なるユーザの身体の部位に対しては、複数の商品のサイズ等の情報に基づいて超音波の焦点の位置を調整する。例えば、ユーザがワイシャツとジャケットとを組み合わせた場合、試着体感部３５は、ワイシャツとジャケットとの各々のサイズ等の情報に基づいて、ユーザの胸部や腹部や腕部に対する超音波の焦点の位置を特定する。
【００８０】
また、複数の商品の試着を行う際、例えば購入候補の商品に限らず、ユーザが既に所有している商品と、新たに購入候補となる商品とを組み合わせてコーディネートおよび試着を行っても良い。この場合、試着装置３０は、ユーザの購入情報から過去に購入した商品の商品情報を取得したり、ユーザからユーザが所有している商品の商品情報の入力を受け付けたりする。そして、試着装置３０は、ユーザが所有している商品と、購入候補の商品との組合せの画面上での確認や仮想的な試着をユーザに行わせることができる。
【００８１】
このように、本実施形態の試着システム１では、実際の衣類を着たり脱いだり、実際の装飾品の装着を繰り返したりしないため、ユーザや販売者にとっても、コーディネートや試着における負担が低減されるようになっている。
【００８２】
（変形例）
続いて、変形例の試着システム１について説明する。
上述した実施形態においては、ユーザサイズ情報と商品サイズ情報とに基づいて試着体感部３５による動作を設定していたが、この態様に限定されない。
例えば、試着設定部４２は、ユーザサイズ情報を用いずに商品サイズ情報に基づいて、試着情報を作成しても良い。この場合、試着体感部３５は、超音波の複数の焦点によって、商品に対応する形状を筐体部３１内に作り出す。
なお、この場合に、ユーザの身体の上下方向における位置に対して、超音波の焦点で作り出した形状の位置が対応するように、上下方向の位置合わせは行うようにする。位置合わせは、撮像部３３や赤外線センサ部３４によって把握されるユーザの上下方向の位置に基づいて行ったり、ユーザに対して上下方向における身体の位置を指示することで行ったりしても良い。
【００８３】
そして、筐体部３１内のユーザは、商品のサイズに対して身体のサイズが合わなければ圧迫感または緩さを感じる。一方で、ユーザは、サイズが合えば適度な押し付け力を感じる。そして、ユーザは、サイズが合うように商品のサイズを変更することで、好みのサイズの商品を探すことができる。
【００８４】
図８は、商品のパーツ毎にサイズを指定する際にタッチパネル３２に表示されるオーダー画面である。
上述した例では、試着装置３０において試着を行い、ユーザのサイズにあるサイズの商品が合わなければ、ユーザが別のサイズの商品を選択するようにしていた。
これに対して、オーダーメイドのように、試着装置３０にて試着を行うことによって、ユーザの身体に合うように商品のパーツ毎のサイズを指定しても良い。
【００８５】
例えば、試着装置３０にてユーザが商品の試着を行う際に、図８に示すように、商品のパーツ毎のサイズを指定するオーダー画面８０をタッチパネル３２に表示する。そして、オーダー画面８０には、人の身体の概形を表すモデル画像８１と、サイズ指定を行うためのサイズ指定ボタン８２と、サイズの指定を確定させる確定ボタン８３と、が表示される。
【００８６】
サイズ指定ボタン８２は、例えば首回り、胸囲、腹囲、腰囲、太もも回りなどのパーツ毎にそれぞれ設けられる。そして、サイズ指定ボタン８２は、ユーザがきついと感じた場合に操作する緩めるボタン８２１と、ユーザが緩いと感じた場合に操作する詰めるボタン８２２とを有している。
【００８７】
この例において、まず、試着体感部３５は、基準サイズの基準服に基づいて設定された試着情報を用いてユーザに試着を行わせる。そして、試着装置３０において、ユーザは、試着体感部３５による身体の押し付け力がユーザの好みになるように調整を行う。試着装置３０は、ユーザによって調整された押し付け力の調整情報をサーバ装置１０に送信する。サーバ装置１０においては、押し付け力の調整情報と、基準服の基準サイズとに基づいて、ユーザが要求する衣類のサイズを特定する。
【００８８】
例えば、試着装置３０において、ユーザがきついと感じたパーツがある場合、ユーザは、そのパーツに対応するサイズ指定ボタン８２の緩めるボタン８２１を押す。緩めるボタン８２１が押された場合には、試着体感部３５は、該当するパーツに対する押し付け力が弱くなるように振動子３５１を制御する。
一方、試着装置３０において、ユーザが緩いと感じたパーツがある場合、ユーザは、そのパーツに対応するサイズ指定ボタン８２の詰めるボタン８２２を押す。詰めるボタン８２２が押された場合には、試着体感部３５は、該当するパーツに対する押し付け力が強くなるように振動子３５１を制御する。
そして、試着装置３０は、上記のサイズ指定ボタン８２の操作に関する情報を、押し付け力の調整情報としてサーバ装置１０に送信する。
【００８９】
以上のようにして、ユーザは、試着装置３０にて好みの着心地を得られるまで調整を行うことで、調整情報に基づいて、ユーザの身体に合う商品の作成を指示することが可能になる。
【００９０】
なお、本実施形態の試着装置３０は、ヘアスタイルについても、ユーザが疑似体験できるようにしても良い。試着装置３０では、例えば、ショートヘアやロングヘアなど、髪の長さを体感できるように試着体感部３５を制御する。さらに、試着装置３０においては、上述した試着画像７１に対してもユーザが疑似体験している髪型を反映させる。これによって、ユーザは、髪型と衣服とを同時に仮想的に体感することができるとともに、試着画像７１において視覚的に両方の確認を行うことができる。
【００９１】
さらに、試着装置３０は、商品特性情報に基づいて、装置内にてユーザが動作を行った際の商品の感覚をユーザに付与するようにしても良い。
例えば、ユーザが革製の商品を試着している場合であって、ユーザが身体を動かしたときには、ユーザの身体の一部が突っ張る感覚をユーザが得られるように試着体感部３５を制御する。これによって、ユーザは、革製の商品など比較的伸びにくい商品を試着した場合の商品のつっぱり感を体感できる。
一方、ユーザがセーターなどの比較的伸びやすい商品を試着している場合であって、ユーザが身体を動かしたときには、ユーザが引っ張られる感覚を抑えるように試着体感部３５を制御する。これによって、ユーザは、比較的伸びやすい商品を試着した場合の商品の動き易さを体感できる。
以上のように構成することで、試着装置３０において、ユーザに対して商品の動的な試着体験を行わせるようにしても良い。
【００９２】
同様に、本実施形態の試着装置３０は、商品サイズ情報のみならず、商品の触感や商品の重量感などの商品情報に基づいて、ユーザに商品を試着したときの感覚を体感させることができる。また、例えば試着装置３０にペルチェ素子など冷却や加熱が可能なデバイスを搭載することで、所定の温度の空気をユーザに向けて供給し、商品情報のうち商品を試着した際の温冷感をユーザに体感させても良い。
【００９３】
なお、本実施形態では、試着体感部３５は、超音波という非接触による力を用いてユーザに商品を着用した場合の感覚を付与しているが、これに限定されない。例えば、試着体感部３５は、風圧や磁力など他の非接触による力を用いてユーザに対して商品を着用した場合の感覚を付与するようにしても良い。
さらに、試着体感部３５は、ユーザに直接的に接触する力を用いてユーザに仮想的な試着を体感させても良い。この場合、例えば、ユーザに対して進退移動する複数のアクチュエータを制御することで、商品の仮想的な試着を行うことができる。
【００９４】
また、上述した実施形態にでは、試着装置３０において試着体感部３５の動作を設定する試着情報の作成を行っていたが、この例に限定されない。
例えば、サーバ装置１０は、試着体感部３５の動作を設定する試着情報の作成を行い、作成した試着情報を試着装置３０に送信するようにしても良い。
この場合、サーバ装置１０は、ユーザから商品の選択を受け付ける（受付部の一例として機能）と、その商品の商品サイズ情報を取得する。さらに、サーバ装置１０は、ユーザのユーザサイズ情報を特定する（特定部の一例として機能）。そして、サーバ装置１０は、取得した商品サイズ情報と、特定したユーザサイズ情報とに基づいて試着情報を作成し、作成した試着情報を試着装置３０に対して送信する（送信部の一例として機能）。
【００９５】
さらに、本実施形態の試着装置３０における筐体部３１は、一例であって、本実施形態の構造に限定されない。
例えば、試着装置３０のサイズは、ユーザの全身が必ずしも収まらないものでも良い。例えば、試着装置３０は、手の平や、頭部や、足を収容できる程度のサイズであっても良い。この場合には、例えば、帽子、ヘルメット、かつら、靴、靴下など、比較的小さい衣類の試着を行うことができる。
【００９６】
また、試着装置３０の試着体感部３５（振動子３５１）は、上述したようにユーザを囲むように配置されることに限定されない。例えば、試着装置３０は、複数の振動子３５１が平面状に並べてられたものであって、部屋の床面に沿って設置されたものであっても良い。この場合、試着装置３０のサイズは、少なくともユーザが立った状態での前後左右の幅よりも大きいものとなる。そして、試着装置３０は、立った状態のユーザに対して、床面側から超音波を出力する。このように、平面状の試着体感部３５を有する試着装置３０を用いて、ユーザに対して仮想的な試着を行うようにしても良い。
【符号の説明】
【００９７】
１…試着システム、１０…サーバ装置、２０…端末装置、３０…試着装置、３１…筐体部、３２…タッチパネル、３３…撮像部、３４…赤外線センサ部、３５…試着体感部、３６…触感体感部、３７…制御部、４１…ユーザサイズ取得部、４２…試着設定部、４３…試着画像表示部、４４…触感設定部、４５…商品発注部、３１１…マーク、３５１…振動子
【図１】
2019139403.tif 000003
【図２】
2019139403.tif 000004
【図３】
2019139403.tif 000005
【図４】
2019139403.tif 000006
【図５】
2019139403.tif 000007
【図６】
2019139403.tif 000008
【図７】
2019139403.tif 000009
【図８】
2019139403.tif 000010